(57)【要約】      （修正有）【課題】ゴミ箱内のゴミを圧縮し体積を縮減できる圧縮機能を備えたゴミ箱蓋を提供する。【解決手段】圧縮機能を備えたゴミ箱蓋はゴミ箱頂部に設置される蓋体１を有し、その底部には圧縮装置３を連接し、蓋体１には開口１１を開設する。圧縮装置３は、下圧板体３２、対応して設置される２組の第一連棒３３と第二連棒３４、軸体３５を有する。手或いは足等で外力を加え圧縮装置３を箱体の内下端へと運動させると、ゴミ圧縮作用を生じる。圧迫完成後、圧縮装置３は自動的に復位し、既存のゴミ箱の足踏みオープン機能を干渉することはない。こうして理想的で便利なゴミ圧縮機能を提供でき、しかも操作時には手を汚すことがなく、極めて実用的である。【選択図】図２
0003212213.tif 000002
【実用新案登録請求の範囲】
【請求項１】
圧縮機能を備えたゴミ箱蓋であって、蓋体、圧縮装置を有し、
前記蓋体には、開口を開設し、
前記圧縮装置は、前記蓋体底部に連接され、上下移動作用を備えることを特徴とする圧縮機能を備えたゴミ箱蓋。
【請求項２】
前記蓋体の外端縁辺には、接合パーツを設置することを特徴とする請求項１に記載の圧縮機能を備えたゴミ箱蓋。
【請求項３】
前記蓋体底面内縁には、一個或いは一個以上の上枢接組合せ部を設置し、
前記圧縮装置は、下圧板体、対応して設置される２組の第一連棒と第二連棒、軸体を有し、
前記下圧板体は、前記蓋体下方に位置し、前記下圧板体底部には、一個或いは一個以上の下枢接組合せ部を設置し、
前記第一連棒と前記第二連棒は共に、おおよそＬ字形を呈し、前記各第一連棒の一端は、前記前記蓋体対応辺にそれぞれ設置される２個の上枢接組合せ部位置に連接され、前記各第一連棒の相対する反対端は、先ずは軸体と枢接され、次に前記第二連棒の一端とそれぞれ枢接され、前記第二連棒の相対する反対端は、前記下圧板体対応辺の２個の下枢接組合せ部位置に軸接され、
前記各第一連棒と前記蓋体の接触位置には、バネを配置し、しかも前記各第二連棒と前記下圧板体の接触位置には、バネを配置し、
前記バネは、前記下圧板体底面箇所に位置することを特徴とする請求項１に記載の圧縮機能を備えたゴミ箱蓋。
【請求項４】
前記下圧板体の面積は、前記蓋体とほぼ等しいことを特徴とする請求項１に記載の圧縮機能を備えたゴミ箱蓋。
【考案の詳細な説明】
【技術分野】
【０００１】
本考案は圧縮機能を備えたゴミ箱蓋に関し、特にゴミ箱内のゴミを圧縮し体積を縮減できる圧縮機能を備えたゴミ箱蓋に関する。
【背景技術】
【０００２】
ゴミ問題は極めて深刻である。
分類と減量を進めるほかに、ゴミを捨てる時に出来るだけ圧縮しなければ、空間を節減することはできない。
市販のゴミ箱は圧縮機能を備えないため、多くの人は自分の手でゴミを圧迫し、体積を縮小している。
しかし、手でゴミを圧縮する際には、皮膚に汚れが付着し、すこぶる不衛生であるばかりか、万が一、ゴミの中に尖った物品などが混じっていた場合には、手を傷つける恐れもあり、非常に危険である。
【０００３】
上記したように、ゴミ箱の圧縮機能には差し迫ったニーズがあるが、ゴミ箱は現時点ではこの機能を提供できていない。
【考案の概要】
【考案が解決しようとする課題】
【０００４】
前記先行技術には、ゴミ箱内のゴミを圧縮する機能を提供できていないという欠点がある。
【課題を解決するための手段】
【０００５】
本考案はゴミ圧縮の機能を備え、ゴミ箱内部に一定容積のゴミが溜まると、使用者は圧縮を行い、ゴミの体積を縮減することで、ゴミ袋に入れられるゴミの量を増やし、ゴミ袋への支出を減らすことができ、圧縮機能を内蔵することで、圧縮機能の操作時には手でゴミに触る必要がないため衛生的で、手に傷を負う恐れも払拭でき、さらにゴミの圧迫完成後には圧縮装置は自動的に復位し、既存のゴミ箱の足踏みオープン作機能を干渉することがなく、非常に理想的である圧縮機能を備えたゴミ箱蓋に関する。
【０００６】
本考案による圧縮機能を備えたゴミ箱蓋は、蓋体、圧縮装置を有する。
該蓋体は箱体頂部に結合され、しかも相対して開けられ、該蓋体の底部には、該圧縮装置を連接する。
【０００７】
該蓋体には、開口を開設し、該蓋体の外端縁辺には、接合パーツを設置する。
該蓋体底面内縁には、一個或いは一個以上の上枢接組合せ部を設置する。
該圧縮装置は、下圧板体、対応して設置される２組の第一連棒と第二連棒、軸体を有する。
該下圧板体は、該蓋体下方に位置し、該下圧板体の面積は、該蓋体とほぼ等しく、該下圧板体底部には、一個或いは一個以上の下枢接組合せ部を設置する。
該第一連棒と該第二連棒は共に、おおよそＬ字形を呈し、該各第一連棒の一端は、該該蓋体対応辺にそれぞれ設置される２個の上枢接組合せ部位置に連接され、該各第一連棒の相対する反対端は、先ずは軸体と枢接され、次に該第二連棒の一端とそれぞれ枢接される。  
該第二連棒の相対する反対端は、該下圧板体対応辺の２個の下枢接組合せ部位置に軸接される。
該各第一連棒と該蓋体の接触位置には、バネを配置し、しかも該各第二連棒と該下圧板体の接触位置には、バネを配置する。
【図面の簡単な説明】
【０００８】
【図１】本考案の立体外観図である。
【図２】本考案の立体分解図である。
【図３】本考案蓋体の下視外観図である。
【図４】本考案全体展開時の立体外観図である。
【図５】本考案をゴミ箱に結合した様子を示す外観模式図である。
【図６】本考案をゴミ箱に結合した様子を示す局部断面模式図である。
【図７】本考案をゴミ箱に結合し、圧縮を行う時の局部断面模式図である。
【考案を実施するための形態】
【０００９】
（一実施形態）
図１、図２、図３、図４に示す通り、本考案による圧縮機能を備えた本考案による圧縮機能を備えたゴミ箱蓋は、蓋体１、箱体２、圧縮装置３を有する。
【００１０】
蓋体１の底部には、圧縮装置３を連接する。
蓋体１には、開口１１を開設し、蓋体一外端縁辺には、接合パーツ１３を設置する。
蓋体１底面内縁には、一個或いは一個以上の上枢接組合せ部１２を設置する。
【００１１】
圧縮装置３は、下圧板体３２、対応して設置される２組の第一連棒３３と第二連棒３４、軸体３５を有する。
下圧板体３２は、蓋体１下方に位置し、下圧板体３２の面積は、蓋体１とほぼ等しく、下圧板体３２底部には、一個或いは一個以上の下枢接組合せ部３２２を設置する。
第一連棒３３と第二連棒３４は共に、おおよそＬ字形を呈し、各第一連棒３３の一端は、該蓋体１対応辺にそれぞれ設置される２個の上枢接組合せ部１２位置に連接され、各第一連棒３３の相対する反対端は、先ずは軸体３５と枢接され、次に第二連棒３４の一端とそれぞれ枢接される。
第二連棒３４の相対する反対端は、下圧板体３２対応辺の２個の下枢接組合せ部３２２位置に軸接される。
各第一連棒３３と蓋体１の接触位置には、バネ３６を配置し、しかも各第二連棒３４と下圧板体３２の接触位置には、バネ３７を配置し、バネ３７は、下圧板体３２底面箇所に位置する。
常態下では、バネ３６の弾力を利用し、圧縮装置３は上昇し蓋体１に接近する（図１参照）。
【００１２】
図５に示す通り、本考案による蓋体１は、箱体４頂部に設置され、その接合パーツ１３を利用し、既存の構造に対応し、蓋体１の足踏みオープン作用を執行する。
箱体４内のゴミ５の量が徐々に増加（図６参照）し、外力が蓋体１の開口１１を通して、下圧板体３２頂面に接触すると、下向きの外力を加えることで、図７に示す通り、下圧板体３２は、対応して設置される２個の各第一連棒３３と各第二連棒３４により、圧縮装置３下降の目的を達成する。
こうして、ゴミ５を圧縮する。
圧縮動作を完了し手を放すと、バネ３６の弾力により、圧縮装置３は再び上昇して蓋体１に接近する。
【００１３】
本考案は、２組の第一連棒３３と第二連棒３４に、各上枢接組合せ部１２と各下枢接組合せ部３２２を対応させることで、圧縮装置３全体を上下に移動させる目的を達成する。
このような上、下、左、右対称の９０度Ｌ型構造は、回転軸体とＬ型アームを形成し、下圧板体３２が下向きに押すと、Ｌ型アームは最低点まで延伸し、長さと角度を限定する機能を提供する。
これにより、下圧板体３２がもとの位置形態を回復する際には、四端のＬ型角の復位用バネ３６、３７は、下圧板体３２を挟んで強制的に復位させることができる。
本考案において左、右のＬ型アーム構造設計は、下圧板体３２下方において上方の左、右Ｌ型アーム構造を貫通して連接し、下圧時には、下圧板体３２の平面のバランスを維持し、また復位時には、下圧板体３２平面全体は各復位用バネ３６、３７を利用し、蓋体１への平坦な密着を回復し、既存の蓋の足踏みオープン作用を干渉することがない。
【００１４】
前述した本考案の実施形態は本考案を限定するものではなく、よって、本考案により保護される範囲は後述される実用新案登録請求の範囲を基準とする。
【符号の説明】
【００１５】
１      蓋体
１１    開口
１２    上枢接組合せ部
１３    接合パーツ
２      箱体
３      圧縮装置
３２    下圧板体
３２２  下枢接組合せ部
３３    第一連棒
３４    第二連棒
３５    軸体
３６    バネ
３７    バネ
【図１】
0003212213.tif 000003
【図２】
0003212213.tif 000004
【図３】
0003212213.tif 000005
【図４】
0003212213.tif 000006
【図５】
0003212213.tif 000007
【図６】
0003212213.tif 000008
【図７】
0003212213.tif 000009